(57)【要約】【課題】所定枚数の必要な撮影画像を撮影するルーチン検査において、検査漏れを防止する。【解決手段】ルーチン検査業務の検査漏れ防止装置は、被検体を撮影した撮影画像を格納する撮影画像格納部１２と、撮影画像と比較される複数のガイド画像を格納するガイド画像格納部１１と、ガイド画像と撮影画像とが表示される表示部９と、表示部９に表示された撮影画像とガイド画像とのマッチング処理を行うマッチング処理部１３と、表示部９に表示されているガイド画像であってマッチング処理が終了したものに対して処理済みマークを付与するマーク付与部１４と、を備える。【選択図】図１
2013056094.tif 000002
【特許請求の範囲】
【請求項１】
被検体を撮影した撮影画像を格納する撮影画像格納部と、
前記撮影画像と比較される複数のガイド画像を格納するガイド画像格納部と、
前記ガイド画像と前記撮影画像とが表示される表示部と、
前記表示部に表示された前記撮影画像と前記ガイド画像とのマッチング処理を行うマッチング処理部と、
前記表示部に表示されている前記ガイド画像であってマッチング処理が終了したものに対して処理済みマークを付与するマーク付与部と、
を備えることを特徴とするルーチン検査業務の検査漏れ防止ガイド装置。
【請求項２】
全ての前記ガイド画像に対するマッチング処理が終了する前にルーチン検査終了の入力操作が行われた場合、検査漏れがあることを報知する報知部を備えることを特徴とする請求項１記載のルーチン検査業務の検査漏れ防止ガイド装置。
【請求項３】
前記マッチング処理のパラメータは、前記ガイド画像と前記撮影画像との類似度であることを特徴とする請求項１又は２記載のルーチン検査業務の検査漏れ防止ガイド装置。
【請求項４】
前記マッチング処理のパラメータは、ルーチン検査の開始からの経過時間であることを特徴とする請求項１又は２記載のルーチン検査業務の検査漏れ防止ガイド装置。
【請求項５】
前記マッチング処理のパラメータは、被検体が載せられている寝台の起倒角度であることを特徴とする請求項１又は２記載のルーチン検査業務の検査漏れ防止ガイド装置。
【請求項６】
前記マッチング処理のパラメータは、前記ガイド画像と前記撮影画像との分割数であることを特徴とする請求項１又は２記載のルーチン検査業務の検査漏れ防止ガイド装置。
【発明の詳細な説明】
【技術分野】
【０００１】
本発明の実施形態は、ルーチン検査業務の検査漏れ防止ガイド装置に関する。
【背景技術】
【０００２】
近年、生活習慣病等に対する集団検診の一つとして、例えば、胃部のＸ線撮影が行われている。このような集団検診では、集団検診を受診する各被検体に対して定められた方向から定められた枚数の撮影画像を撮影するルーチン検査が行われている。
【０００３】
このルーチン検査では、寝台に載った被検体に指示を出して身体の向きを変えたり、寝台の傾き角度を変えたりし、それぞれの位置で被検体をＸ線撮影している。
【先行技術文献】
【特許文献】
【０００４】
【特許文献１】特開２００６−１０９８９１号公報
【発明の概要】
【発明が解決しようとする課題】
【０００５】
しかしながら、このようなルーチン検査において、撮影を担当する操作者の過誤により必要な枚数の撮影画像の撮影が終了する前にルーチン検査を終了してしまい、検査漏れが発生する場合がある。特に、集団検診のように多数の被検体に対して連続してルーチン検査を行う場合には、検査漏れが発生しやすい。
【０００６】
ルーチン検査において検査漏れが発生した場合には、後日再検査を行う必要があり、再検査を受ける被検体にとって大きな負担となる。
【０００７】
本発明が解決しようとする課題は、被検体に対して必要な枚数の撮影画像を撮影するルーチン検査において、検査漏れの発生を防止することができるルーチン検査業務の検査漏れ防止ガイド装置を提供することである。
【課題を解決するための手段】
【０００８】
実施形態のルーチン検査業務の検査漏れ防止ガイド装置は、被検体を撮影した撮影画像を格納する撮影画像格納部と、撮影画像と比較される複数のガイド画像を格納するガイド画像格納部と、ガイド画像と撮影画像とが表示される表示部と、表示部に表示された撮影画像とガイド画像とのマッチング処理を行うマッチング処理部と、表示部に表示されているガイド画像であってマッチング処理が終了したものに対して処理済みマークを付与するマーク付与部と、を備える。
【図面の簡単な説明】
【０００９】
【図１】実施形態のＸ線画像診断装置を示すブロック図である。
【図２】ガイド画像が表示された表示部の画面を示す正面図である。
【図３】ガイド画像と撮影画像とが表示された表示部の画面を示す正面図である。
【図４】ガイド画像と撮影画像とのマッチング処理を行う場合のパラメータについて説明する説明図である。
【図５】１個のガイド画像に対して処理済みマークが付与された表示部の画面を示す正面図である。
【図６】７個のガイド画像に対して処理済みマークが付与された表示部の画面を示す正面図である。
【図７】全てのガイド画像に処理済みマークが付与される前にルーチン検査終了の操作が行われた場合において、検査漏れがあることを報知するダイアログが表示された表示部の画面を示す正面図である。
【図８】ルーチン検査の動作を説明するフローチャートである。
【発明を実施するための形態】
【００１０】
本発明の一実施形態のルーチン検査業務の検査漏れ防止ガイド装置を備えたＸ線画像診断装置１を図面に基づいて説明する。図１はＸ線画像診断装置１を示すブロック図であり、このＸ線画像診断装置１は、胃などの消化器官に対して集団検診をする場合にルーチン検査を行える装置として病院等の医療機関内に設置されている。ここでいうルーチン検査とは、被検体に対して予め定められた方向から予め定められた複数枚の撮影画像Ａを撮影する検査を意味する。なお、この図１において、各構成部を結んだ点線は機械的な接続状態を示し、実線は電気的な接続状態を示している。
【００１１】
Ｘ線画像診断装置１は、被検体が載置される寝台２と、この寝台２上に載置された被検体に対してＸ線を照射するＸ線管３と、被検体を透過したＸ線を検出するＸ線検出器４と、Ｘ線検出器４が検出した被検体内部に関する情報を画像情報として撮影するカメラ５と、これらのＸ線管３、Ｘ線検出器４及びカメラ５を支持する支持装置６とを備えている。
【００１２】
寝台２は、この寝台２上に載置された被検体の体軸方向に沿って起倒可能、及び載置された被検体の体軸の回りに回動可能に構成されている。支持装置６は、被検体に対するＸ線の照射方向を適宜変更可能なように、Ｘ線管３とＸ線検出器４とを被検体の体軸回りに回転させたり、Ｘ線管３とＸ線検出器４とを被検体の体軸方向に沿って傾斜させたりできるように構成されている。
【００１３】
さらに、このＸ線画像診断装置１は、制御装置７を備えている。この制御装置７には、上述した寝台２、Ｘ線管３、Ｘ線検出器４、カメラ５、支持装置６の他、操作部８と表示部９とが接続されている。
【００１４】
操作部８にはキーボードやマウス等の様々な入力部が設けられており、Ｘ線画像診断装置１による撮影を担当する操作者がこれらの入力部を操作することにより、寝台２や支持装置６を駆動させ、被検体の撮影画像Ａを撮影し、表示部９の画面に必要な画像を表示させることができる。表示部９の画面には、例えば、カメラ５で撮影した被検体の撮影画像Ａや、後述するガイド画像Ｂが表示される。
【００１５】
制御装置７は、ＣＰＵやＲＯＭ及びＲＡＭを備えてＸ線画像診断装置１の各部を制御する駆動制御部１０と、ルーチン検査において撮影すべき被検体の撮影対象部分を示す複数のガイド画像Ｂを格納するガイド画像格納部１１と、カメラ５により撮影された撮影画像Ａを格納する撮影画像格納部１２と、撮影画像Ａとガイド画像Ｂとのマッチング処理を行うマッチング処理部１３と、表示部９に表示されているガイド画像Ｂであってマッチング処理が終了したものに対して処理済みマークＣを付与するマーク付与部１４と、全てのガイド画像Ｂと撮影画像Ａとのマッチング処理が終了する前にルーチン検査終了の入力操作が行われた場合に検査漏れがあることを報知する報知部１５とを備えている。これらのガイド画像格納部１１、撮影画像格納部１２、マッチング処理部１３、マーク付与部１４、報知部１５により、ルーチン検査業務において検査漏れを防止するための検査漏れ防止ガイド装置が構成されている。
【００１６】
ガイド画像格納部１１は、上述したように複数のガイド画像Ｂが格納される部分である。このガイド画像Ｂは、ルーチン検査により撮影された撮影画像Ａと比較される複数枚の画像であり、撮影対象部位を様々な方向から撮影した複数枚の画像により構成されている。例えば、胃のルーチン検査を行う場合のガイド画像Ｂは、後述するように８枚の画像により構成されている。ガイド画像格納部１１に格納されているガイド画像Ｂは、胃のルーチン検査を開始する場合に操作部８からの操作によりガイド画像格納部１１から呼び出され、表示部９の画面に表示される。このガイド画像Ｂは、Ｘ線画像診断装置１を使用するユーザが適宜設定することができ、適宜設定したガイド画像Ｂを図示しない通信制御部を用いてガイド画像格納部１１に格納することができる。
【００１７】
撮影画像格納部１２は、上述したようにカメラ５により撮影された撮影画像Ａが格納される部分である。カメラ５により撮影された撮影画像Ａは、撮影画像格納部１２に格納されるとともに表示部９に表示される。この場合、表示部９の画面には、８枚のガイド画像Ｂとカメラ５により撮影された１枚の撮影画像Ａとが表示される。
【００１８】
マッチング処理部１３は、上述したように撮影画像Ａとガイド画像Ｂとのマッチング処理を行う部分である。具体的には、カメラ５により撮影されて撮影画像格納部１２に格納されるとともに表示部９の画面に表示された撮影画像Ａとマッチングする（一致する）１枚のガイド画像Ｂを、表示部９の画面に表示されている８枚のガイド画像Ｂの中から選択する。
【００１９】
このマッチング処理は予め設定されたパラメータに基づいて行われる。マッチング処理用のパラメータは任意に設定することが可能であり、このパラメータについては後述する。
【００２０】
マーク付与部１４は、上述したように表示部９の画面に表示されているガイド画像Ｂであってマッチング処理が終了したものに対して処理済みマークＣを付与する部分である。処理済みマークＣとしては様々な形態のマークを用いることができ、例えば、本実施形態のように×印を用いることができる。処理済みマークＣとしては。撮影を担当する操作者が表示部９の画面を見た場合に視認しやすいものであることが好ましい。
【００２１】
報知部１５は、上述したように全てのガイド画像Ｂに対する撮影画像Ａとのマッチング処理が終了する前、言い換えると、全てのガイド画像Ｂに対して処理済みマークＣが付与される前にルーチン検査終了の入力操作が行われた場合に、検査漏れがあることを報知する部分である。報知する方法としては、ブザー音による音声報知や、表示部９の画面への画像報知等様々な方法が可能である。本実施形態では後述するように、表示部９の画面に必要な枚数の撮影が終了していないことを報知するダイアログ１６を表示させる。
【００２２】
図２は、胃のルーチン検査を開始する場合において、操作部８からの操作によりガイド画像格納部１１に格納されている８枚のガイド画像Ｂが呼び出され、呼び出された８枚のガイド画像Ｂが表示部９の画面に表示された状態を示す正面図である。図２に示したガイド画像Ｂ中において、黒く示されている部分は造影剤（例えば、バリウム）が存在する部分である。
【００２３】
図３は、胃のルーチン検査が開始された後、カメラ５により撮影された一つの撮影画像Ａと８枚のガイド画像Ｂとが表示部９の画面に表示された状態を示す正面図である。胃のルーチン検査が開始されると、カメラ５で撮影された胃の画像が動画状態で表示部９の画面に表示され、操作者が任意のタイミングで操作部８の撮影釦を押すことによりその時の画像が固定画像（撮影画像Ａ）として得られ、その撮影画像Ａが撮影画像格納部１２に格納されるとともに表示部９の画面に表示される。そして、表示部９の画面に表示されている撮影画像Ａとガイド画像Ｂとのマッチング処理が行われる。
【００２４】
図４は、撮影画像Ａとガイド画像Ｂとのマッチング処理を行う場合のマッチングパラメータについて説明する説明図である。マッチング処理を行うマッチングパラメータは複数設けられ、優先順位が付けられている。第１の優先順位は、撮影画像Ａとガイド画像Ｂとの類似度である。撮影画像Ａに対して類似度が７０％以上のガイド画像Ｂが存在した場合には、当該ガイド画像Ｂが撮影画像Ａとマッチングしたものと判断される。
【００２５】
マッチング処理を行う場合のマッチングパラメータの第２の優先順位は、ルーチン検査の開始からの経過時間である。ルーチン検査の開始からの経過時間が撮影順番でほぼ決まっていることを利用したものである。胃が変形している等の理由で、撮影画像Ａに対して類似度が７０％以上のガイド画像Ｂが存在しない場合には、ルーチン検査の開始からの撮影画像Ａの撮影までの経過時間をマッチングパラメータとしてマッチング処理を行い、例えば、撮影画像Ａが１枚目の画像であってルーチン検査の開始から６０秒以内であれば、その撮影画像ＡはアイコンＮｏ１のガイド画像Ｂとマッチングしたものと判断される。
【００２６】
マッチング処理を行う場合のマッチングパラメータの第３の優先順位は、寝台２の起倒角度である。ルーチン検査時の寝台２の起倒角度が撮影順番で決まっていることを利用したものである。撮影画像Ａに対して類似度が７０％以上のガイド画像Ｂが存在せず、さらに、ルーチン検査に手間がかかり３枚目の撮影画像Ａを撮影した時間がルーチン検査の開始から１８０秒を経過しているような場合には、寝台２の起倒角度をマッチングパラメータとしてマッチング処理を行い、例えば、寝台２の起倒角度が１５°以上２０°未満の場合には、その時の撮影画像ＡはＮｏ３のガイド画像Ｂとマッチングしたものと判断される。
【００２７】
マッチング処理を行う場合のマッチングパラメータの第４の優先順位は、撮影画像の分割数である。ルーチン検査時の撮影画像Ａの分割数が撮影順番で決まっていることを利用したものである。例えば、このマッチングパラメータを用いて７枚目の撮影画像Ａについてマッチング処理を行う場合、その撮影画像Ａの分割数が１であれば、その撮影画像ＡはＮｏ７のガイド画像とマッチングしたものと判断される。なお、この実施形態では、Ｎｏ１〜Ｎｏ８の全てのガイド画像Ｂの分割数が“１”であるが、例えば、あるガイド画像Ｂの分割数が横“１/２”、縦“１/２”等である場合、このマッチングパラメータの有効性が高くなる。
【００２８】
なお、マッチングパラメータの利用態様は上述したものに限定されるものではない。例えば、マッチングパラメータの第１の優先順位の類似度が５０％以上７０％未満の場合には第２の優先順位のマッチングパラメータを参酌し、第１の優先順位の類似度が５０％未満の場合には第２、第３の優先順位のマッチングパラメータを参酌するようにしてもよい。
【００２９】
図５は、８個のガイド画像Ｂのうち１個についてマッチング処理が終了し、マッチング処理が終了した１個のガイド画像Ｂに対してマッチング処理が終了したことを示す×印の処理済みマークＣが付与された状態を示す表示部９の画面の正面図である。
【００３０】
図６は、８個のガイド画像Ｂのうち７個についてマッチング処理が終了し、マッチング処理が終了した７個のガイド画像Ｂに対してマッチング処理が終了したことを示す×印の処理済みマークＣが付与された状態を示す表示部９の画面の正面図である。
【００３１】
図７は、全てのガイド画像Ｂに対する撮影画像Ａとのマッチング処理が終了する前、例えば、７個のガイド画像Ｂに対するマッチング処理が終了した時点でルーチン検査終了の入力操作が行われた状態を示す表示部９の画面の正面図である。表示部９の画面には、ルーチン検査の検査漏れがあることを報知するダイアログ１６が表示される。
【００３２】
図８は、胃のルーチン検査を行う場合の動作を説明するフローチャートである。ルーチン検査をスタートさせる場合には、操作部８を操作し、ガイド画像格納部１１に格納されている複数のガイド画像Ｂを呼び出し、呼び出したガイド画像Ｂを表示部９の画面に表示させる（ステップＳ１）。すなわち、表示部９の画面には図２に示すように、８枚のガイド画像Ｂが表示される。
【００３３】
つぎに、被検体にＸ線を照射し、カメラ５により撮影されて表示部９の画面に動画状態で表示されている胃の画像を確認しながら操作者が操作部８に設けられている撮影釦等を押すことにより、撮影画像Ａを撮影する（ステップＳ２）。撮影された撮影画像Ａは、撮影画像格納部１２に格納されるとともに、表示部９の画面に表示される（ステップＳ３）。すなわち、表示部９の画面には、図３に示すように８枚のガイド画像Ｂに加えて撮影画像Ａが表示される。
【００３４】
撮影画像Ａが表示部９の画面に表示された後、その撮影画像Ａとガイド画像Ｂとのマッチング処理が行われる（ステップＳ４）。このマッチング処理は、図４に基づいて説明したように優先順位１〜４のマッチングパラメータを用いて行われる。
【００３５】
ステップＳ４のマッチング処理が行われた後、撮影画像Ａとマッチングしたガイド画像Ｂに対して処理済みマークＣが付与される（ステップＳ５）。すなわち、図５に示すように表示部９の画面の上部左側の１つのガイド画像Ｂに対して×印が付与される。
【００３６】
ステップＳ５において処理済みマークＣが付与された後、次の撮影画像Ａを撮影するための操作が実行されたか否か（ステップＳ６）と、ルーチン検査を終了させる操作が実行されたか否か（ステップＳ７）とが判断される。
【００３７】
次の撮影画像Ａを撮影するための操作が実行された場合には（ステップＳ６のＹＥＳ）、ステップＳ２に戻って撮影画像Ａの撮影が行われる。一方、ルーチン検査を終了する操作が実行された場合には（ステップＳ７のＹＥＳ）、全てのガイド画像Ｂについて撮影画像Ａとのマッチング処理が終了したか否かが判断される（ステップＳ８）。
【００３８】
全てのガイド画像Ｂについて撮影画像Ａとのマッチング処理が終了している場合には（ステップＳ８のＹＥＳ）、ルーチン検査が修了する。
【００３９】
一方、マッチング処理が終了していないガイド画像Ｂが有る場合には（ステップＳ８のＮＯ）、検査漏れがあることがダイアログ１６により表示される（ステップＳ９）。すなわち、表示部９の画面には図７に示すように、ルーチン検査の検査漏れがあることを報知するダイアログ１６が表示される。
【００４０】
表示部９にダイアログ１６が表示された後、ルーチン検査を終了する操作が行われたか否かが判断され（ステップＳ１０）、ルーチン検査を終了しない旨の操作（ダイアログ１６のＮＯ釦にタッチする操作）が行われた場合には（ステップＳ１０のＮＯ）ステップＳ２に戻り、ルーチン検査を終了する操作（ダイアログ１６のＹＥＳ釦にタッチする操作）が行われた場合には（ステップＳ１０のＹＥＳ）ルーチン検査が終了する。
【００４１】
このような構成において、本実施形態によれば、ルーチン検査を行う場合には図２に示すように表示部９の画面に複数のガイド画像Ｂが表示され、画像が撮影される毎に撮影された撮影画像Ａとガイド画像Ｂとのマッチング処理が行われ、撮影画像Ａとマッチングしたガイド画像Ｂに対して図５及び図６に示すように処理済みマークＣが付与される。
【００４２】
このため、ルーチン検査の撮影を担当する操作者は、ガイド画像Ｂに付与された処理済みマークＣを見ることにより、所定枚数の撮影画像Ａの撮影が終了したか否かを確認することができ、ルーチン検査業務において検査漏れの発生を防止することができる。
【００４３】
さらに、必要な枚数の撮影画像の撮影が終了する前に操作者がルーチン検査を終了させる操作を行なった場合には、図７に示すように、検査漏れがあることを報知するダイアログ１６が表示部９の画面に表示される。したがって、ルーチン検査において検査漏れが発生することをより一層確実に防止することができる。
【００４４】
以上説明した少なくとも一つの実施形態によれば、被検体をルーチン検査する場合に、ルーチン検査において撮影画像Ａと比較される複数のガイド画像Ｂが表示部９の画面に表示され、被検体を撮影するごとに撮影画像Ａとガイド画像Ｂとのマッチング処理が行われ、マッチング処理が終了したガイド画像Ｂには処理済みマークＣが付与される。このため、撮影を担当する操作者は、ガイド画像Ｂに付与された処理済みマークＣを見ることにより、ルーチン検査を終了させてよいか否かを正確に判断することができ、ルーチン検査の検査漏れの発生を防止することができる。
【００４５】
また、全てのガイド画像Ｂに対するマッチング処理が終了する前にルーチン検査終了の入力操作が行われた場合には、検査漏れがあることが報知部１５から報知されるので、ルーチン検査の検査漏れをより一層確実に防止することができる。
【００４６】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、様々の省略、置き換え、変更を行うことができる。この実施形態やその変更は、発明の範囲や要旨に含まれるとともに、特許請求の範囲に記載された発明とその均等の範囲に含まれる。
【符号の説明】
【００４７】
９      表示部
１１      ガイド画像格納部
１２      撮影画像格納部
１３      マッチング処理部
１４      マーク付与部
１５      報知部
Ａ      撮影画像
Ｂ      ガイド画像
Ｃ      処理済みマーク
【図１】
2013056094.tif 000003
【図２】
2013056094.tif 000004
【図３】
2013056094.tif 000005
【図４】
2013056094.tif 000006
【図５】
2013056094.tif 000007
【図６】
2013056094.tif 000008
【図７】
2013056094.tif 000009
【図８】
2013056094.tif 000010